(57)【要約】【課題】アダプターを箱体の通風口に容易に取り付けて作業性を向上させることができつつ箱体の落下の恐れを低減することができることを目的とする。【解決手段】アダプター９の下方の箱体側にリブ１１を有した係合部１２を設け、箱体のリブ１１と対向するところに係合開口を設けたという構成にしたことにより、アダプター９に下方から箱体を挿入して係合開口に係合部１２のリブ１１を係合させるので、アダプター９を箱体の通風口に容易に取り付けて作業性を向上させることができつつ箱体の落下の恐れを低減することができる換気装置を得られる。【選択図】図３
2014119195.tif 000002
【特許請求の範囲】
【請求項１】
底面に吸込口とフランジ部とを設け、側面に通風口を設けた金属製の箱体に、内部の上方に羽根を回転させるモーターを取り付けるモーター保持板と前記羽根と前記モーターを覆うケーシングとを設け、底面にルーバーを取り付け、前記通風口に樹脂性のアダプターを設けた本体において、前記アダプターの下方の前記箱体側にリブを有した係合部を設け、前記箱体の前記リブと対向するところに係合開口を設けたことを特徴とする換気装置。
【請求項２】
リブを、上方が平らで下方が上方へ向かうにしたがい箱体側に傾斜させたことを特徴とする請求項１に記載の換気装置。
【請求項３】
アダプターの外方側の下方側に突起を設けたことを特徴とする請求項１に記載の換気装置。
【発明の詳細な説明】
【技術分野】
【０００１】
本発明は、天井等に設置されて換気を行う換気装置に関するものである。
【背景技術】
【０００２】
従来、この種の換気装置は、アダプターを箱体の通風口にネジを介して取り付けていたものが知られている（例えば、特許文献１参照）。
【先行技術文献】
【特許文献】
【０００３】
【特許文献１】特開２０１１−１１７１１号公報
【発明の概要】
【発明が解決しようとする課題】
【０００４】
このような従来の換気装置においては、アダプターは箱体の通風口にネジを介して取り付けていたので手間がかかりかつネジを付け忘れて箱体が落下する恐れがある、という課題を有していた。
【０００５】
そこで本発明は、上記従来の課題を解決するものであり、アダプターを箱体の通風口に容易に取り付けて作業性を向上させることができつつ箱体の落下の恐れを低減することができる換気装置を提供することを目的とする。
【課題を解決するための手段】
【０００６】
そして、この目的を達成するために、本発明は、底面に吸込口とフランジ部とを設け、側面に通風口を設けた金属製の箱体に、内部の上方に羽根を回転させるモーターを取り付けるモーター保持板と前記羽根と前記モーターを覆うケーシングとを設け、底面にルーバーを取り付け、前記通風口に樹脂性のアダプターを設けた本体において、前記アダプターの下方の前記箱体側にリブを有した係合部を設け、前記箱体の前記リブと対向するところに係合開口を設けたこととしたものであり、これにより所期の目的を達成するものである。
【発明の効果】
【０００７】
本発明によれば、底面に吸込口とフランジ部とを設け、側面に通風口を設けた金属製の箱体に、内部の上方に羽根を回転させるモーターを取り付けるモーター保持板と前記羽根と前記モーターを覆うケーシングとを設け、底面にルーバーを取り付け、前記通風口に樹脂性のアダプターを設けた本体において、前記アダプターの下方の前記箱体側にリブを有した係合部を設け、前記箱体の前記リブと対向するところに係合開口を設けたという構成にしたことにより、アダプターに下方から箱体を挿入して係合開口部に係合部のリブを係合させることとなるので、アダプターを箱体の通風口に容易に取り付けて作業性を向上させることができつつ箱体の落下の恐れを低減することができる、という効果を得ることができる。
【図面の簡単な説明】
【０００８】
【図１】本発明の実施の形態１の換気装置の状態を示す側面図
【図２】同換気装置の状態を示す下面斜視図
【図３】同換気装置のアダプターを示す斜視図
【発明を実施するための形態】
【０００９】
本発明の請求項１記載の換気装置は、底面に吸込口とフランジ部とを設け、側面に通風口を設けた金属製の箱体に、内部の上方に羽根を回転させるモーターを取り付けるモーター保持板と前記羽根と前記モーターを覆うケーシングとを設け、底面にルーバーを取り付け、前記通風口に樹脂性のアダプターを設けた本体において、前記アダプターの下方の前記箱体側にリブを有した係合部を設け、前記箱体の前記リブと対向するところに係合開口を設けた、という構成を有する。これにより、アダプターに下方から箱体を挿入して係合開口部に係合部のリブを係合させることとなるので、アダプターを箱体の通風口に容易に取り付けて作業性を向上させることができつつ箱体の落下の恐れを低減することができる、という効果を奏する。
【００１０】
また、リブを、上方が平らで下方が上方へ向かうにしたがい箱体側に傾斜させた、という構成にしてもよい。これにより、開口部が傾斜に沿って近づき平らの部分で開口部と係合することとなるので、アダプターを箱体にスムーズに取り付けることができる、という効果を奏する。
【００１１】
また、アダプターの外方側の下方側に突起を設けた、という構成にしてもよい。これにより、木枠に突起を接触させ木枠とリブとのスペースをとることとなるので、アダプターを容易に外すことができる、という効果を奏する。
【００１２】
以下、本発明の実施の形態について図面を参照しながら説明する。
【００１３】
（実施の形態１）
図１〜図３に示すように、底面に吸込口１と吸込口１の周囲にフランジ２とを設け、側面に通風口３を設けた金属製の箱体４に、内部の上方にシロッコファンである羽根（図示せず）を回転させるＡＣあるいはＤＣ方式のモーター５を取り付けるモーター保持板６（望ましくは耐熱性のある金属性）と羽根とモーター５を覆うケーシング７（図３参照）とを設け、底面にルーバー８を取り付け、通風口３にコストが安く加工性の良い樹脂性のアダプター９を設けた本体１０において、アダプター９の下方の箱体４側にリブ１１を有した係合部１２を設け、箱体４のリブ１１と対向するところに係合開口１３を設けている。
【００１４】
このような構成によって、天井板１４裏に設けた木枠１５にアダプター９の底辺に形成した外方に突き出した取付片１６を介してネジ１７でアダプター９を取り付け、天井板１４の下方から箱体４を挿入してリブ１１の外枠より一回り大きい開口である係合開口１３に係合部１２のリブ１１を係合させることで、アダプター９を箱体４の通風口３にネジで取り付けた場合に比べ容易に取り付けて作業性を向上させることができつつ箱体４の落下の恐れを低減することができる、という効果を奏することとなる。
【００１５】
また、従来はネジが必要でありそのネジを紛失あるいは付け忘れアダプター９と箱体４の結合つまり係合がしていない場合もあるが、本実施の形態の発明は、係合によってアダプター９と箱体４が取り付けられるので、そのようなことを防ぐことができる。
【００１６】
また、リブ１１を、上方が平らで下方が上方へ向かうにしたがい箱体４側に傾斜させたものである。
【００１７】
このような構成によって、係合開口１３がリブ１１の傾斜にスムーズに沿って天井板１４近づき平らの部分で係合開口１３とカチッと音がして係合することで、アダプター９を箱体４にスムーズに取り付けることができる、という効果を奏することとなる。
【００１８】
また、アダプター９の外方側の下方側にドーム状の突起１８を複数個（この実施の形態では縦２個の４列）設けている。
【００１９】
なお、突起１８は、リブ１１の上・下に設ける。
【００２０】
このような構成によって、木枠１５に突起１８を接触させ木枠１５とリブ１１とのスペースをとることにより、吸込口１から手を入れて親指でリブ１１を押して係合部１２を前記スペース内に傾けることができるので、アダプター９を容易に外すことができる、という効果を奏することとなる。
【産業上の利用可能性】
【００２１】
本発明にかかる換気装置は、アダプターを箱体の通風口に容易に取り付けて作業性を向上させることができつつ箱体の落下の恐れの低減を可能とするものであるので、天井等に設置される空調機や送風機等として有用である。
【符号の説明】
【００２２】
１  吸込口
２  フランジ
３  通風口
４  箱体
５  モーター
６  モーター保持板
７  ケーシング
８  ルーバー
９  アダプター
１０  本体
１１  リブ
１２  係合部
１３  係合開口
１４  天井板
１５  木枠
１６  取付片
１７  ネジ
１８  突起
【図１】
2014119195.tif 000003
【図２】
2014119195.tif 000004
【図３】
2014119195.tif 000005